(57)【要約】【課題】照明装置を内蔵することにより、内蔵の撮影装置による撮影をこの照明装置を用いて行うことができ、且つ、この照明装置により着信を知らせること。【解決手段】携帯電話機に内蔵された撮影装置のレンズの外周部に複数のＬＥＤから成る照明装置を内蔵し、内蔵撮影装置による撮影をこの照明装置により行う。また、この携帯電話機の着信時、前記照明装置のＬＥＤを点滅させて着信を知らせる。【選択図】　図１
2004023412.tif 000002
【特許請求の範囲】
【請求項１】
撮影装置を内蔵した携帯電話機において、
前記撮影装置の撮影レンズの外周部に近接配置され、前記撮影装置の撮影時に被写体を照明する照明装置を内蔵することを特徴とする携帯電話機。
【請求項２】
前記照明装置は複数色のＬＥＤを配列して構成され、これら複数色のＬＥＤのいずれか１色或いは２色以上を組み合わせて点灯させる点灯制御手段を設けたことを特徴とする請求項１に記載の携帯電話機。
【請求項３】
前記点灯制御手段は、前記携帯電話機に着信があると前記照明装置を構成するＬＥＤを点滅して着信を知らせることを特徴とする請求項１又は２に記載の携帯電話機。
【請求項４】
前記照明装置は複数色のＬＥＤを配列して構成され、前記点灯制御手段は、前記着信時に、これら複数色のＬＥＤのいずれか１色或いは２色以上を組み合わせて点滅させることを特徴とする請求項３に記載の携帯電話機。
【発明の詳細な説明】
【０００１】
【発明の属する技術分野】
本発明は、カメラ等の撮影装置を内蔵した携帯電話機に係り、特に内蔵撮影装置で撮影する際に被写体を照明する照明装置及び携帯電話機への着信時の報知に関する。
【０００２】
【従来の技術】
従来より、カメラなどを内蔵した携帯電話機が普及してきているが、このような携帯電話機のカメラ等でマクロ撮影等を行う際には、別途、照明装置を用意し、この照明装置により被写体を照明して撮影していた。
【０００３】
また、上記のような携帯電話機は、着信がある場合に、着信を発光素子などの明滅で知らせる機能を有しているものがある。
【０００４】
【発明が解決しようとする課題】
上記のような携帯電話機の内蔵カメラで、マクロ撮影等を行う場合、上記のような照明装置を別途用意しなければならず、これでは、携帯電話機の他に照明装置を持ち運ばなくてはならず、不便であった。
【０００５】
また、照明装置を用いて携帯電話機内蔵のカメラでマクロ撮影などをする場合、携帯電話機の他に照明装置をセットしたり、照明装置を持って撮影しなければならず、使い勝手が非常に悪かった。
【０００６】
更に、咄嗟に、携帯電話機の内蔵カメラでマクロ撮影等をしようとした際に、照明装置を持ち合わせていないと、シャッターチャンスを逃すことになる。
【０００７】
また、携帯電話機への着信を知らせる発光素子（ＬＥＤ）等を有しているが、上記のような照明装置を内蔵した場合、照明装置のＬＥＤの他に着信を知らせるＬＥＤも装備することになり、通常時は動作しないＬＥＤの数が多すぎることになる。
【０００８】
本発明は、上述の如き従来の課題を解決するためになされたもので、その目的は、照明装置を内蔵することにより、内蔵の撮影機器による撮影をこの照明装置を用いて行うことができ、且つ、この照明装置により着信を知らせることができる携帯電話機を提供することである。
【０００９】
【課題を解決するための手段】
本発明の課題を解決する請求項１の発明は、撮影装置を内蔵した携帯電話機において、前記撮影装置の撮影レンズの外周部に近接配置され、前記撮影装置の撮影時に被写体を照明する照明装置を内蔵することを特徴とする。
【００１０】
この発明によれば、前記撮影装置の撮影時に、前記撮影装置の撮影レンズの外周部に近接配置された照明装置により被写体が照明される。
【００１１】
請求項２の発明は、前記請求項１において、前記照明装置は複数色のＬＥＤを配列して構成され、これら複数色のＬＥＤのいずれか１色或いは２色以上を組み合わせて点灯させる点灯制御手段を設けたことを特徴とする。
【００１２】
この発明によれば、前記照明装置は複数色のＬＥＤのいずれか１色或いは２色以上を組み合わせて点灯する。
【００１３】
請求項３の発明は、前記請求項１又は２において、前記点灯制御手段は、前記携帯電話機に着信があると前記照明装置を構成するＬＥＤを点滅して着信を知らせることを特徴とする。
【００１４】
この発明によれば、携帯電話機に着信があると、前記照明装置のＬＥＤを点滅して着信を知らせる。
【００１５】
請求項４の発明は、前記請求項３において、前記照明装置は複数色のＬＥＤを配列して構成され、前記点灯制御手段は、前記着信時に、これら複数色のＬＥＤのいずれか１色或いは２色以上を組み合わせて点滅させることを特徴とする。
【００１６】
この発明によれば、携帯電話機に着信があると、前記照明装置の複数色のＬＥＤのいずれか１色或いは２色以上を組み合わせて点滅させることにより、着信を知らせる。
【００１７】
【発明の実施の形態】
以下、本発明の実施の形態を図面に基づいて説明する。図１は、本発明の第１の実施の形態に係る携帯電話機の外観例を示した斜視図である。携帯電話機１の蓋の裏面に内蔵撮影装置の撮影レンズ１１が設けられ、このレンズ１１の外周部に複数のＬＥＤ１１２から成るＬＥＤリングライト１２が配置されている。尚、ＬＥＤリングライト１２を構成するＬＥＤ１１２は赤色、青色、緑色のＬＥＤで、これら３色のＬＥＤ１１２が複数個リング状に配列されている。
【００１８】
図２は図１に示した携帯電話機１の内部構成例を示したブロック図である。携帯電話機１は、電話機の個別の制御及び全体の制御を行うマイクロコンピュータ（マイコン）２１、基地局（図示せず）との間で音声及びデータの送受信を行う無線送受信部２２、図１に示した撮影レンズ１１を有し、このレンズ１１で撮影した画像をＣＣＤ等により画像データとする撮影装置部２３、図１に示したＬＥＤリングライト１２を有し、このＬＥＤリングライト１２を点灯させる照明装置部２４、電話番号などの各種情報及び各種操作指示などを入力するキー操作部２５を備え、これら部品は互いにバス２６により接続されている。
【００１９】
図３は図２に示した照明装置部２４の構成例を示したブロック図である。照明装置部２４は、赤色のＬＥＤ１１２を発光するＬＥＤ発光部３１−１、緑色のＬＥＤ１１２を発光するＬＥＤ発光部３１−２、青色のＬＥＤ１１２を発光するＬＥＤ発光部３１−３、ＬＥＤ発光部３１−１を点灯させる点灯回路３２−１、ＬＥＤ発光部３１−２を点灯させる点灯回路３２−２、ＬＥＤ発光部３１−３を点灯させる点灯回路３２−３、ＬＥＤ発光部３１−１、３１−２、３１−３を発光させるための電圧を発生する昇圧回路３３、昇圧回路３３をオン、オフするスイッチ回路３４とを有し、スイッチ回路３４を通して携帯電話機１の電池３から昇圧回路３３に電源が供給されるようになっている。また、照明装置部２４は携帯電話機１のマイコン２１によって制御されるようになっており、具体的には点灯回路３２−１〜３２−３及びスイッチ回路３４が制御される。
【００２０】
次に本実施の形態の動作について説明する。携帯電話機１の撮影装置部２３を用いて例えばマクロ撮影しようとした場合、マイコン２１は装置をマクロ撮影モードとして、照明装置部２４のスイッチ回路３４をオンとして、携帯電話機１の電池３から昇圧回路３３に電源を供給する。昇圧回路３３は供給される電池電圧を昇圧する。この昇圧電圧（３０Ｖ）は点灯回路３２−１〜３２−３を通してＬＥＤ発光部３１−１〜３１−３に供給され、ＬＥＤ発光部３１−１〜３１−３が点灯し、ＬＥＤリングライト１２によって被写体（図示せず）が照明される。
【００２１】
上記照明装置部２４の動作はＬＥＤリングライト１２を構成するＬＥＤ１１２を全て点灯する場合で、この場合は赤色、緑色、青色の全てのＬＥＤ１１２が点灯して、ＬＥＤリングライト１２から白色光が照射される。
【００２２】
しかし、各種撮影効果を狙って、上記した赤色、緑色、青色のＬＥＤ１１２の中で、一色又は２色を組み合わせたＬＥＤ１１２を点灯させることもできる。例えば、赤色のＬＥＤ１１２を点灯させて赤色の照明光を得たい場合、撮影者は携帯電話機１のキー操作部２５より赤色点灯の指示を予め出しておく、これにより、上記マクロ撮影モード時に、マイコン２１は点灯回路３２−１のみをオンにして、発光部３１−１の赤色のＬＥＤ１１２のみを点灯させて、ＬＥＤリングライト１２によって赤色の照明を行う。
【００２３】
また、赤色以外の別の色や、２色（例えば赤色と緑色）の色を組み合わせて照明する場合も上記と同様で、キー操作部２５より所望の色の点灯指示を予め出しておけば、マイコン２１が必要な点灯回路３２をオンして指示された照明を行う。
【００２４】
本実施の形態によれば、撮像装置部２３を有する携帯電話機１にＬＥＤリングライト１２を備えた照明装置部２４を内蔵することにより、撮像装置部２３を用いたマクロ撮影時等にＬＥＤリングライト１２を点灯して容易に必要な照明を得ることができる。
【００２５】
また、照明装置部２４は携帯電話機１と一体であるため、撮影時に、別途、照明装置をセットしたり、照明装置を持ったりする必要がなく、撮影時の使い勝手を向上させることができる。
【００２６】
更に、照明装置部２４は携帯電話機１と一体であるため、必要な時に直ぐに照明をすることができるため、シャッターチャンスを逃すことがなくなる。また、ＬＥＤリングライト１２からの照明は白色のみでなく、各種の色の照明を選択的に行うことができるため、撮影効果を広げることができる。
【００２７】
図４は、本発明の第２の実施の形態に係る照明装置部の構成例を示したブロック図である。但し、上記した第１の実施の形態と同様の部分は同一符号を付して説明する。
【００２８】
照明装置部２４は、赤色のＬＥＤ１１２を発光するＬＥＤ発光部３１−１、緑色のＬＥＤ１１２を発光するＬＥＤ発光部３１−２、青色のＬＥＤ１１２を発光するＬＥＤ発光部３１−３、ＬＥＤ発光部３１−１を点灯させる点灯回路３２−１、ＬＥＤ発光部３１−２を点灯させる点灯回路３２−２、ＬＥＤ発光部３１−３を点灯させる点灯回路３２−３、ＬＥＤ発光部３１−１、３１−２、３１−３を発光させるための電圧を発生する昇圧回路３３、昇圧回路３３をオン、オフするスイッチ回路３４とを有し、スイッチ回路３４を通して携帯電話機１の電池３から昇圧回路３３に電源が供給されるようになっている。
【００２９】
また、照明装置部２４は携帯電話機１のマイコン２１によって制御されるようになっており、具体的には点灯回路３２−１〜３２−３及びスイッチ回路３４が制御される。
【００３０】
ここで、本実施の形態と第１の実施の形態の違いは、点灯回路３２−１、３２−２、３２−３がＬＥＤ発光部３１−１、３１−２、３１−３を構成する複数のＬＥＤ１１２を個別に点滅させることができるようになっているところにある。
【００３１】
次に本実施の形態の動作について説明する。今、無線送受信部２２に着信があると、マイコン２１は図示されないリンガにより着信音を鳴らすと共に、照明装置部２４のスイッチ回路３４をオンすると共に、点灯回路３２−１、３２−２、３２−３を制御して、ＬＥＤ発光部３１−１、３１−２、３１−３のＬＥＤを順番に点滅し、ＬＥＤリングライト１２からの点灯光が回転するようにＬＥＤリングライト１２を点滅させて、着信を知らせる。
【００３２】
この場合も、利用者はキー操作部２５のキーを操作して、所望の色のＬＥＤ１１２のみ、又は所望の２色のＬＥＤ１１２のみを着信時に点滅させるようにすることができる。
【００３３】
例えば、赤色のＬＥＤ１１２を点滅させて着信報知を行いたい場合、撮影者は携帯電話機１のキー操作部２５より赤色点滅の指示を予め出しておく、これにより、上記着信時に、マイコン２１は点灯回路３２−１のみをオン、オフにして、ＬＥＤ発光部３１−１の赤色のＬＥＤ１１２のみを個別に点滅させて、ＬＥＤリングライト１２より赤色の点灯光が回転するようにして着信を知らせることができる。
【００３４】
また、着信時、ＬＥＤリングライト１２のＬＥＤ１１２の中の所定の数のＬＥＤ１１２を一斉に点滅することにより各種点滅パターンを形成して、上記着信を知らせることもできる。これらパターンを形成するためのプログラムはマイコン２１のメモリに予め入れておき、利用者が所望の点滅パターンをキー操作部２５より予め選択しておくことにより、着信をＬＥＤリングライト１２により好み光の点滅パターンで知らせるようにすることもできる。更に、着信時、上記したリンガを鳴らさないで、ＬＥＤリングライト１２の光の点滅パターンでのみ知らせるように、キー操作部２５を操作してマイコン２１に予め設定しておくこともできる。
【００３５】
尚、本実施の形態も照明装置部２４を撮影装置部２３の照明として第１の実施の形態と同様に用いることができる。
【００３６】
本実施の形態によれば、照明装置部２４のＬＥＤリングライト１２のＬＥＤ１１２を個別に点滅させて着信を知らせることができる。これにより、照明装置部２４を有効活用できると共に、着信報知用のＬＥＤを装備する必要を無くすことができる。また、着信時の報知色や点滅パターンを利用者の好みに応じて各種選択できるため、携帯電話機１のイルミーネーションも兼ねることができ、商品価値を著しく高めることができる。
【００３７】
尚、本発明は上記実施の形態に限定されることなく、その要旨を逸脱しない範囲において、具体的な構成、機能、作用、効果において、他の種々の形態によっても実施することができる。例えば、上記したＬＥＤリングライト１２は赤、青、緑の３色のＬＥＤ１１２により構成されていたが、４色以上のＬＥＤで構成されていても良い。また、本発明を携帯電話機以外の撮影機能を有するＰＤＡなどの無線携帯端末に適用して同様の効果を得ることができる。
【００３８】
【発明の効果】
以上詳細に説明したように、本発明によれば、照明装置を内蔵することにより、内蔵の撮影装置による撮影をこの照明装置を用いて行うことができ、且つ、この照明装置により着信を知らせることができる。
【図面の簡単な説明】
【図１】本発明の第１の実施の形態に係る携帯電話機の外観例を示した斜視図である。
【図２】図１に示した携帯電話機の内部構成例を示したブロック図である。
【図３】図２に示した照明装置部の構成例を示したブロック図である。
【図４】本発明の第２の実施の形態に係る照明装置部の構成例を示したブロック図である。
【符号の説明】
１　携帯電話機
３　電池
１１　撮影レンズ
１２　ＬＥＤリングライト
２１　マイクロコンピュータ
２２　無線送受信部
２３　撮影装置部
２４　照明装置部
２５　キー操作部
２６　バス
３１−１〜３１−３　ＬＥＤ発光部
３２−１〜３２−３　点灯回路
３３　昇圧回路
３４　スイッチ回路
１１２　ＬＥＤ
【図１】
2004023412.tif 000003
【図２】
2004023412.tif 000004
【図３】
2004023412.tif 000005
【図４】
2004023412.tif 000006